Podtech/llm-jp-corpus-v4-ja_patent huggingface dataset:
(57)【要約】【課題】  雑草の草刈りを行なう草刈機は、形状が大振りで騒音も振動も大きく、非力な人では使いこなすのが難しく使う場所も制約される。また、草刈り鎌は、引いて切る動作が中心で、刃の部分を替刃方式にして切れ味を良くしても、草地や家庭の庭、土手、畦などの傾斜地の多様な場所の草刈りを広範囲に行うことは大変な労力を要する。【解決手段】  伸縮式の握り柄の先に、一般に市販されている切れ味の良い替刃方式の刃を、刃の折損や飛び散りを防ぐ安全補強ガードで覆い、刃が入った安全補強ガード部分の取り付け角度を可変式にすることにより、刃部分が柄と一直線で取り付けられる草刈りカッターの形状にもなり、角度を持った草刈り鎌の形状にもなる。これにより、横切り、引き切り、切り下し、離れた場所の断ち切り、杭の周りなどの、多様な場所の多様な草刈り作業を、容易に広範囲に効率良く且つ安全に行なえる。【選択図】図１
0003127772.tif 000002
【実用新案登録請求の範囲】
【請求項１】
替刃方式の刃を安全補強ガードで覆い、刃の入った安全補強ガード部分の取り付け角度を可変式にして、伸縮式の柄の先に取り付けることで、多様な場所の多様な草刈り作業を、容易に広範囲に効率良く且つ安全に行なえることを特徴とする草刈りカッター。
【考案の詳細な説明】
【技術分野】
【０００１】  本考案は、替刃方式の刃を安全補強ガードで覆い、刃の入った安全補強ガード部分の取り付け角度を可変式にして、伸縮式の握り柄の先に取り付けることで、多様な場所の多様な草刈り作業を、容易に広範囲に効率良く且つ安全に行なえる草刈りカッターに関する。
【背景技術】
【０００２】  雑草の草刈りを行なう場合は、従来からあるエンジン式・電気式の草刈機や、引いて切り取る草刈り鎌形状の刃物を使うことが多い。
【考案の開示】
【考案が解決しようとする課題】
【０００３】  しかしながら、従来の一般的なエンジン式・電気式の草刈機は形状が大振りで、騒音も振動も大きく、非力な人では使いこなすのが難しく、使う場所も制約される。また、従来からある草刈り鎌は、その形状から引いて切る動作が中心で、刃の部分を替刃方式にして切れ味を良くしても、草地や家庭の庭、土手、畦などの傾斜地の多様な場所の草刈りを容易に広範囲に且つ安全に行うことに大変な労力を要する。そこで、本考案は、草刈り鎌の形状を改善し、市販されている替刃を用いた替刃方式で鋭い切れ味を保ち、多様な場所の多様な草刈り作業を、容易に広範囲に効率良く且つ安全に行なえることを課題とする。
【課題を解決するための手段】
【０００４】  以上の課題を解決するために、本考案は、市販されている替刃を用いた替刃方式で鋭い切れ味を保ち、替刃方式の刃をコの字型の安全補強ガードで覆い刃の折損や飛び散りを防ぎ、刃部分の取り付け角度を可変式にして、伸縮式の握り柄の先に取り付けることで、草地や家庭の庭、土手、畦などの傾斜地の多様な場所の多様な草刈り作業を、容易に広範囲に効率良く且つ安全に行なえることを特徴とする草刈りカッターである。
【考案の効果】
【０００５】  本考案によれば、伸縮式の握り柄の先に、刃の折損や飛び散りを防ぐコの字型の安全補強ガードで覆われた替刃方式の刃が取り付けられ、一般に市販されている替刃を取り替えることで常に良い切れ味が保たれる。また、刃部分の取り付け角度を可変式にすることにより、刃部分が柄と一直線で取り付けられる草刈りカッターの形状にもなり、刃部分が角度を持った草刈り鎌の形状にもなる。これにより、草地や家庭の庭などの平地に於ける横切り、鎌のような引き切り、土手、畦などの傾斜地に於ける切り下し、少し離れた場所の蔓性の雑草の断ち切り、杭の周りの刈り取りの細かい作業などの、多様な場所の多様な草刈り作業を、容易に広範囲に効率良く且つ安全に行なえることとなる。
【考案を実施するための最良の形態】
【０００６】  本考案の実施形態を、図１、図２、図３と図４に示す。
図１に示すように、伸縮式の握り柄１の先に、常に良い切れ味が保たれる替刃方式の刃２を、折損や飛び散りを防ぐコの字型の安全補強ガード３に差込み、伸縮式の握り柄の先端にある、安全補強ガード部の止め付け角度可変式部４に止め付けネジ５で取り付ける。図２に示すように、突起の小さなネジを用いて、雑草が絡み付いたり、振り抜きが悪くなるのを防ぐ。図３に示すように、刃部の角度を草刈り鎌状に変えたときにより堅固に確りと固定するために、止め付けネジ用の穴と止め付けネジを追加することもできる。また、図４に示すように安全補強ガードの上端をエの字型に圧着加工し下部を開放すれば、左右両側から替刃を差込み、左右に振りながら両方向の雑草を切ることもできる。
【実施形態】
【０００７】  この実施形態によれば、常に良い切れ味が保たれる替刃方式の刃が折損や飛び散りを防ぐコの字型の安全補強ガードで覆われて、伸縮式の握り柄の先に取り付けられる。替刃が入った安全補強ガード部分の取り付け角度を可変式にすることにより、刃部分が柄と一直線で取り付けられる草刈りカッターの形状にもなり、刃部分が角度を持った草刈り鎌の形状にもなり、草地や家庭の庭などの平地に於ける横切り、鎌のような引き切り、土手、畦などの傾斜地に於ける切り下し、少し離れた場所の蔓性の雑草の断ち切りなどの、多様な場所の多様な草刈り作業を、容易に広範囲に効率良く且つ安全に行なえることとなる。エンジン式・電気式の草刈機が騒音も振動も大きく、非力な人では使いこなすのが困難なのに比較して、使う場合の疲労が軽減出来て、製造も安価で行なえる。また、草刈り鎌と比較しても、草刈り鎌はその形状から、引いて切る動作が中心で、一振りの動作で一度に切ることができる範囲が狭く、また、腰をかがめて作業することが多い。この草刈りカッターは一振りの動作で切ることができる範囲が広く、立ったまま使用することができるため、作業効率が増して疲労の軽減にもなる。
【図面の簡単な説明】
【０００８】
【図１】  本考案の一実施形態を示す斜視図である。
【図２】  本考案の一実施形態を示す部分拡大図である。
【図３】  本考案の一実施形態を示す他の部分拡大図である。
【図４】  本考案の一実施形態を示す他の部分拡大図である。
【符号の説明】
【０００９】１  伸縮式の握り柄部
２  替刃部
３  替刃を支える安全補強ガード部
４  安全補強ガード部の可変式止め付け部
５  替刃と安全補強ガード部を握り柄に止め付けるネジ
６  角度をより堅固に可変式に止め付ける穴を追加した安全補強ガード部
７  安全補強ガード部の角度をより堅固に可変式に止め付けるネジ
８  替刃を左右、両方向から差し込める安全補強ガード部
【図１】
0003127772.tif 000003
【図２】
0003127772.tif 000004
【図３】
0003127772.tif 000005
【図４】
0003127772.tif 000006
(57)【要約】      （修正有）【課題】初級者・中級者レベルの相撲競技者にも対応できる室内土俵を提供する。【解決手段】相撲の俵の代わりとなる半硬質ゴムを合板の端部に取り付けた、７種類１６枚のマットを組み合わせ、内径４５５０ｍｍの土俵の円と俵の外に一辺６４５０ｍｍの四角形のマット部分を形成し、マット上部は合板の上にクッション層を敷き、その上を表層材で覆いマットの下部は合板の下に裏シートを施し、７種類１６枚のマットをマジックテープ（商標登録）とずれ止め金具で一体になるように床の上に組み立てる、一体となる事によって重量が重くなり、俵に大きな力が加わっても俵が動くことが無くなり、室内での初級者・中級者レベルの相撲にも対応できる土俵となる。【選択図】図１
0003127773.tif 000002
【実用新案登録請求の範囲】
【請求項１】
室内用置き敷き式組立土俵において、
（１）相撲の俵の代わりとなる半硬質ゴムを合板の端部に取り付けた、
（２）７種類１６枚のマットを組み合わせると内径４５５０ｍｍの土俵の円と俵の外に一辺６４５０ｍｍの四角形のマット部分を形成し、
（３）マット上部は合板の上にクッション層を敷き、
（４）その上を表層材で覆い、
（５）マットの下部は合板の下に裏シートを施し、
（６）７種類１６枚のマットをマジックテープ（商標登録）とずれ止め金具で一体になるように床の上に組み立てる、
以上からなる置き敷き式組立土俵。
【考案の詳細な説明】
【考案の詳細な説明】
【産業上の利用分野】
【０００１】この考案は、室内用土俵に関するものである。
【背景技術】
【０００２】従来、キャンパスシートに俵を置いたものである。
【考案が解決しようとする課題】
【０００３】従来は次のような欠点があった。
（イ）相撲を取っている時に足元に生じる大きな力でシート・俵が動き、相撲がとりにくく、ケガの恐れがあった。
（ロ）初級者を対象とした室内用士俵であった。
【問題を解決するための手段】
【０００４】本考案は、初級者・中級者レベルの相撲競技者にも対応できる室内土俵を提供するためのものである。
それを説明すれば、合板を土台として端部に相撲の俵となる半硬質ゴムを取り付けて、マット部分はクッション性を持たせた７種類１６枚のマットをマジックテープ（商標登録）とずれ止め金具で一体になるように床の上に組み立てて土俵を形成する。
【作用】
【０００５】以上の構成であるため、７種類１６枚のマットが一体となる事によって重量が重くなり、俵に大きな力が加わっても俵が動くことが無くなり、室内での初級者・中級者レベルの相撲にも対応できる土俵を提供する事が出来る。
【実用例】
【０００６】以下、本考案の実用例について説明する。
（イ）体育館の床に設置する場合はクッション材を敷いた上に、畳の上に設置する場合は直接７種類１６枚のマットを所定の位置に敷く。
（ロ）それぞれのマットをマジックテープ（商標登録）とずれ止め金具で連結して、土俵を形成する。
（ハ）競技を行う。
（ニ）競技終了後、連結をはずしてマットを撤去して保管する。
【考案の効果】
【０００７】本案は以上のような機能で、これを利用することによって以下のような効果が得られる。
（イ）柔道畳や体育館の床に土俵が簡単に設置できる。
（ロ）不要な時には撤去が簡単に出来る。
（ハ）マット同士が連結され一体になっている為、重量が重くなり俵がずれにくい。
（ニ）俵の外側のマットがクッションになっている為、倒れた時に衝撃がやわらぐ。
【図面の簡単な説明】
【図１】はマット種類別平面図。
【図２】は組立平面図。
【図３】はマット・俵断面図
【図４】はマットの立体図
【図５】はずれ止め金具詳細図
【図６】はマジックテープ（商標登録）部詳細図
【符号の説明】
１；マット
２；俵
３；マジックテープ（商標登録）
４；表層材
５；クッション層
６；合板
７；裏シート
８；ずれ止め金具
【図１】
0003127773.tif 000003
【図２】
0003127773.tif 000004
【図３】
0003127773.tif 000005
【図４】
0003127773.tif 000006
【図５】
0003127773.tif 000007
【図６】
0003127773.tif 000008
(57)【要約】      （修正有）【課題】本考案は、墓地に水をなくす事により蚊の発生を防ぐ事を目的としたものである。【解決手段】本考案は、墓地の水いれの器の下に小さな穴をあけることにより水が溜まらない器にしたものである。【選択図】図１
0003127775.tif 000002
【実用新案登録請求の範囲】
【請求項１】
お墓で水をあげる器に常に水が溜まる為蚊の発生源になる事を防止する為に器の下に小さな穴をあけることにより水が溜まらないところを特徴とするお墓用穴あき御水いれとする
【考案の詳細な説明】
【技術分野】
【０００１】本考案は墓地で水いれの器に水が溜まり蚊が発生する事を防止する器です
【背景技術】
【０００２】水いれの器の下に小さな穴をあけ常に器には水が溜まらないようにしたものです
【考案の開示】
【考案が解決しようとする課題】
【０００３】墓地で蚊の発生をなくす事
【課題が解決するための手段】
【０００４】蚊は水がないと発生しない為に水の溜まらない器にする
【考案の効課】
【０００５】墓地に蚊を少なくする
【考案を実施するための最良の形能】
【０００６】水いれの器の下に小さな穴をあけ家紋と名字はシールで張る
【実施例】
【０００７】器には常に水がなく清潔に保たれ蚊の発生を防ぐ
【図面の簡単な説明】
【０００８】
【図１】穴あき器の全体図
【符号の説明】
【０００９】１．水いれの器
２．水抜き用穴
３．家紋シール
４．名字シール
【図１】
0003127775.tif 000003
(57)【要約】【課題】  トイレットペーパーホルダーを自動化するにあたり、ペーパー巻き取り部をコンパクトに、又、スムーズに巻き取ることがホルダーの軽量化コンパクト化にとって重要である。【解決手段】  トイレットペーパーホルダーのペーパー巻き取り部に軸にベルトを取り付け、回転自在として、ベルトより摩擦力の小さい部材を接触させその部材とベルトの間にペーパーを入れ巻き取る、さらに、軸に螺旋状の溝を入れておき、ペーパーを螺旋状に巻き取るベルト巻き取り方式である。駆動モーターにより電動で行う。【選択図】図３
0003127696.tif 000002
【実用新案登録請求の範囲】
【請求項１】
ペーパー幅より長さの短い複数の軸に、更にその軸よりも幅の狭いベルトを取り付けたものを、基盤上に設置し回転自在として、軸とベルトより摩擦力の小さい部材を軸とベルトに接触させ、その部材とベルトの間にペーパーを入れ、ベルトに巻くもであって、更にペーパーのたるみを防止するためにベルトの内側にガイド板を設置し、駆動モーターにより電動回転として、更に軸に螺旋状の溝を入れ、ペーパーを螺旋状に巻くことを特徴とした電動トイレットペーパー巻き取り装置。
【考案の詳細な説明】
【技術分野】
【０００１】本考案は電動でトイレットペーパーを巻き取る装置である。
【背景技術】
【０００２】従来のトイレットペーパーホルダーにおいてベルトにペーパーを巻く方式は無かった。
【特許文献】特開２００１−２９２５８号  公報
【考案の開示】
【考案が解決しようとする課題】
【０００３】トイレットペーパーホルダーを自動化するにあたって巻き取り部を、いかにコンパクトにするか又、スムーズに巻き取るかが重要な要素である。
【課題を解決するための手段】
【０００４】本考案は、ペーパー巻き取り部に回転自在としたベルトとそれより摩擦力の小さい部材を接触させ、ベルトと部材との間にペーパーを入れ巻き取るという摩擦力の差を利用してベルトに巻く方式とした。又、軸に螺旋状の溝を入れることによりペーパーを螺旋状に巻くことにした。
【考案の効果】
【０００５】本考案のベルト巻き取り方式により、巻き取り部にコンパクトに又、スムーズに巻き取ることができるようになった、又、ペーパーを螺旋状に巻くことにより使用しやすくなった
【考案の実施するための最良の形態】
【０００６】以下．本考案の実施形態を図１から図３に基づいて説明する。
【０００７】図１においてトイレットペーパーを使用しやすいように、長さ１ａ．幅１ｂ．のように複数回巻き取るものである。その方法として図２において軸２にベルト５を取り付け図３の基盤７に設置して、駆動歯車９によって回転させます、つぎに図２の部材３を複数個取り付け、部材３の間にペーパー１を入れ、巻き取るものである。その際必要なことは、部材３が軸２とベルト５よりも摩擦力の小さい材質のものであること、又、弾力性のある支持物６によって部材３を、軽く接触させておくことが必要である。又、図２において部材３を上、右、下、に示してあるがこれをー体にしても機能的には同じある。次に、図１の１ｂのように螺旋状に巻く為に必要なこととして、図３の軸２に螺旋状の溝を入れておくこと、又、ペーパー１の取り付け方法としては図３の基盤７に対して、巻き取る方向に広がる向きに図３の１のように取り付けることが必要である。またベルトは平型、丸型などその他摩擦力の大きい柔軟性のあるものを使用する。図２においてペーパー１のたわみ防止として、ベルトの中にガイド４を取り付ける。駆動モーター８により歯車９を回転させるものである。
【図面の簡単な説明】
【０００８】
【図１】本考案で巻き取ったペーパーを横と上から見た図
【図２】本考案の巻き取り機を横から見た図
【図３】本考案の巻き取り機を上から見た図
【符号の説明】
【０００９】１    トイレットペーパー
１ａ  トイレットペーパーを巻いた部分を横から見た図
１ｂ  トイレットペーパーを巻いた部分を上から見た図
２    軸
３    摩擦力の小さい部材
４    内側ガイド
５    ベルト
６    支持金具
７    基盤
８    駆動モーター
９    駆動歯車
【図１】
0003127696.tif 000003
【図２】
0003127696.tif 000004
【図３】
0003127696.tif 000005
【手続補正書】
【提出日】平成18年9月10日(2006.9.10)
【手続補正１】
【補正対象書類名】実用新案登録請求の範囲
【補正対象項目名】全文
【補正方法】変更
【補正の内容】
【実用新案登録請求の範囲】
【請求項１】
ペーパー幅より長さの短い複数の軸に、更にその軸よりも幅の狭いベルトを取り付けたものを、基盤上に設置し、駆動モーターにより回転自在として、そのベルトの外周にベルトよりも滑りやすい材質の板状の部材を、ベルト上部に複数個設置し、その部材とベルトの間にペーパーを入れ、更にペーパーのたるみを防止するためにベルトの内側にガイド板を設置し、更に軸に螺旋状の溝を入れ、ペーパーをベルトに螺旋状に巻くことを特徴とした電動トイレットペーパー巻き取り装置。
(57)【要約】      （修正有）【課題】本考案は、水泳技術の向上を目的とした水泳補助用具に関するものである。【解決手段】本考案は、手のひらから肘に近い箇所までプラスチック板を装着させることにより、多くの水の抵抗を感じとり、水泳技術のハイエルボー習得に役立つ。手のひらよりも小さい形状にすることにより、指の部分は直接水の抵抗を感じることができ、また手首関節の部分にゴム状のパットを用いることにより、手首を自由に稼動でき、手首から肘までの部分で水の抵抗を感じることができる。【選択図】図２
0003127699.tif 000002
【実用新案登録請求の範囲】
【請求項１】
水泳練習用具として、手首から肘に近い部分までに水の掻きを補助する用具をつける。しかし、それのみでは不安定となるのでその問題を解消するため手首から指先にかけての部分と連結させることにより、手首から肘まで装着した水掻きを泳ぐ際に安定させることを特徴とする。
【請求項２】
手首関節の部分にゴム状のパットを用いることにより、手首を自由に稼動させることを特徴とする。
【考案の詳細な説明】
【技術分野】
【０００１】本校案は、水泳技術の向上を目的とした水泳補助用具に関するものである。
【背景技術】
【０００２】水中又は水面を泳ぐ際の技術向上として、手のひらにプラスチック又は、板状のものを付け、水圧を感じとる練習を行っていた。
【考案の開示】
【考案が解決しようとする課題】
【０００３】水泳でより効率よく泳ぐためには、腕から先の部分で、より多くの水の抵抗を感じとる練習が必要である。従って、従来の手の平の水掻きではなく、手首から肘に近い部分にかけて水の抵抗を感じとる用具を用いることにより、効率のよい泳ぎを身につけようとするものである。
【課題を解決するための手段】
【０００４】本考案は、手首から肘に近い部分までにプラスチックなどの板製のものを装着することで、より多くの水の抵抗を感じとることができるようにした。
【考案の効果】
【０００５】手のひらでなく、手首から肘に近い部分まで水の抵抗を感じさせることにより、水泳のハイエルボーという特殊技術の習得に役立つ。
【考案を実施するための最良の形態】
【０００６】手首から指先にかけての部分で水を掻くのではなく、手首から肘に近い部分で水を感じることのできる形状を考案した。手首から指先の部分に装着する水掻きについては、手首から肘に近い部分までのプラスチック板などを安定させるための補助具とする。手全体よりも小さい形状にすることにより、指の部分は直接水の抵抗を感じることができる。また、手首関節の部分にゴム状のパットを用いることにより、手首を自由に稼動でき、手首から肘までの感覚を増すことができる。
【実施例】
【０００６】以下、添付図面に従って実施例を説明する。図１の１の断面Ａ−Ａの部分と断面Ｃ−Ｃの部分の固定穴をゴムチューブで結ぶ。また、図１の３も同様に断面Ｂ−Ｂと断面Ｄ−Ｄの固定穴もゴムチューブで結ぶ。そのゴムチューブに図２のように手を通す。親指と人差し指の間のゴムチューブの位置、並びに小指の付け根部分の位置はゴムチューブ固定穴の位置を移動させることにより手の大きさに合わせた位置に調節する。
【図面の簡単な説明】
【０００７】
【図１】本校案のハイエルボー水泳練習用具の正面図並びに断面図である。
【図２】ゴムチューブなどを通し、手と手首を通したときの実施例を示す正面図である。
【符号の説明】
【０００８】１  手のひら部分のプラスチック板
２  ゴムパット
３  手首から肘へかけてのプラスチック板
４  ゴムチューブ
【図１】
0003127699.tif 000003
【図２】
0003127699.tif 000004
【手続補正書】
【提出日】平成18年9月15日(2006.9.15)
【手続補正１】
【補正対象書類名】実用新案登録請求の範囲
【補正対象項目名】全文
【補正方法】変更
【補正の内容】
【実用新案登録請求の範囲】
【請求項１】
水泳練習用具として、手の平の部分と手首から肘までの水掻きをゴムパットで連結した用具。
(57)【要約】【課題】料理の盛り付けで、食品の少量を盛り付ける場合には、アルミホイルやプラスチックなどのカップを利用し、又他にクラッカーを使って共に食するやり方（カナッペ）があるが、水分の多い物でも盛り付けられて、ゴミとならない材料であることなどの条件を満たし、一口大でそのまま食することができる食材を追求した。【解決手段】本考案のカップ型の食材は、従来のアルミカップなどと違い、練り物のちくわ、かまぼこが材料であるため、盛り付けた食品と共にそのまま食することができる。大きさは一口大とし、形状は、カップ型の他、花型、舟型など中央をくぼませることにより水分の多い食品にも耐えられるため、あらゆる食材の盛り付けに対応できるものである。低カロリー高蛋白の材料で作られるため、広範囲の年齢層にも適し、和洋中いずれの料理にも応用できるものである。【選択図】図１
0003127698.tif 000002
【実用新案登録請求の範囲】
【請求項１】
本考案は、練り物のちくわ、かまぼこを材料としたもので、形態を一口大のカップ型にし、あらゆる食材を盛り付け、そのまま食することが出来る様にしたものである。
【考案の詳細な説明】
【技術分野】
【０００１】  本考案は練り物のちくわ、かまぼこの形態に関する。
【背景技術】
【０００２】  料理の盛り付けで、食品の少量を盛り付ける場合には、アルミホイルやプラスチックなどのカップが多く、食べた後にはゴミとなるしかない。又、他にクラッカーを使って共に食するやり方がある。
【考案の開示】
【考案が解決しようとする課題】
【０００３】  料理の盛り付けに関して、少量を盛り付ける場合に、水分の多い物でも盛り付けられて、ゴミとならない材料であることなどの条件を満たし、一口大でそのまま食することができる食材が求められる。
【課題を解決するための手段】
【０００４】  本考案は、練り物のちくわ、かまぼこを材料としたもので、形態を一口大のカップ型に改良し、あらゆる食材を盛り付け、そのまま食することが出来る様にしたものである。又、形状は、カップ型の他、花型、舟型などを考案、あらゆる食材をのせ料理のバリエーションを広げるものである。
【考案の効果】
【０００５】  本考案のカップ型の食材は、従来のアルミカップなどと違い、練り物のちくわ、かまぼこが材料であるため、盛り付けた食品と共に食することができる。大きさは一口大とし、中央をくぼませることにより水分の多い食品にも耐えられるため、あらゆる食材の盛り付けに対応できるものである。低カロリー高蛋白の材料で作られるため、広範囲の年齢層にも適し、和洋中いずれの料理にも応用できるものである。
【考案を実施するための最良の形態】
【０００６】  本考案のカップ型の食材は、図１に示されるように、大きさは一口大とし、練り物のちくわ、かまぼこが材料のため、あらゆる食材を盛り付け、そのまま食することが出来る。又、あらゆる食材をのせ料理のバリエーションが広がるよう、形状は、カップ型の他、花型、舟型などを考案した。
【図１】
0003127698.tif 000003
【図２】
0003127698.tif 000004
【図３】
0003127698.tif 000005
【手続補正書】
【提出日】平成18年9月12日(2006.9.12)
【手続補正１】
【補正対象書類名】実用新案登録請求の範囲
【補正対象項目名】全文
【補正方法】変更
【補正の内容】
【実用新案登録請求の範囲】
【請求項１】
本考案は、練り物のちくわ、かまぼこを材料とし、一口大のカップ型にして、食材を盛り付け食することを特徴としたカップかまぼこ。
【手続補正２】
【補正対象書類名】明細書
【補正対象項目名】全文
【補正方法】変更
【補正の内容】
【考案の詳細な説明】
【技術分野】
【０００１】  本考案は  練り物のちくわ、かまぼこの形態に関する。
【背景技術】
【０００２】  料理の盛り付けで、食品の少量を盛り付ける場合には、アルミホイルやプラスチックなどのカップが多く、食べた後にはゴミとなるしかない。又、他にクラッカーを使って共に食するやり方がある。
【考案の開示】
【考案が解決しようとする課題】
【０００３】  料理の盛り付けに関して、少量を盛り付ける場合に、水分の多い物でも盛り付けられて、ゴミとならない材料であることなどの条件を満たし、一口大でそのまま食することができる食材が求められる。
【課題を解決するための手段】
【０００４】  本考案は、練り物のちくわ、かまぼこを材料としたもので、一口大の大きさで、器の形を成し、あらゆる食材を盛り付けそのまま食することが出来る様にしたカップ型練り物である。
【考案の効果】
【０００５】  本考案のカップ型練り物は、従来のアルミカップなどと違い、材料そのものが食材であるため、盛り付けた食品と共に食することができる。又、大きさは一口大とし、カップ型にしても、練り物の特徴から水分の多い食品にも形態を損ねることなく、あらゆる食材の盛り付けに対応できるものである。低カロリー高蛋白の材料で作られるため、広範囲の年齢層にも適し、和洋中いずれの料理にも応用できるものである。
【考案を実施するための最良の形態】
【０００６】    本考案のカップ型の食材は、図１に示されるように、大きさは一口大とし、練り物のちくわ、かまぼこが材料のため、あらゆる食材を盛り付け、そのまま食することが出来る。又、あらゆる食材をのせ料理のバリエーションが広がるような形状を考案した。
【図面の簡単な説明】
【０００７】
【図１】  カップ型かまぼこ  丸型  ▲１▼  平面図  ▲２▼  断面図
【図２】  カップ型かまぼこ  花型  （応用編）  ▲３▼平面図  ▲４▼  断面図
【図３】  カップ型かまぼこ  舟型  （応用編）  ▲５▼  平面図  ▲６▼  断面図
【符号の説明】
Ａ−Ａ’    カップ型かまぼこ  丸型  断面部分を示す
Ｂ−Ｂ’    カップ型かまぼこ  花型  断面部分を示す
Ｃ−Ｃ’    カップ型かまぼこ  舟型  断面部分を示す
【手続補正２】
【補正対象書類名】図面
【補正対象項目名】全図
【補正方法】変更
【補正の内容】
【図１】
0003127698.tif 000006
【図２】
0003127698.tif 000007
【図３】
0003127698.tif 000008
(57)【要約】【課題】  一戸建ての住宅などで、階段の中間に窓がついていたりすると、高所の作業をするのに脚立や踏み台が必要となるが、階段の段差のある所で使える脚立や踏み台はない。これは大変不便で、そのような場合に使用できる脚立を提供する。【解決手段】  横方向より見て、２本の柱に複数個の踏み台のついた短い右部材と、伸縮可能で、しっかり固定できる左部材があり、左部材は、２つの部分よりなり、スライドして長くなったり短くなったり出来る。これにより、階段の下の段に左部材を乗せ、２つの部分をしっかり固定し、天板を水平に保って作業できる。【選択図】図１
0003127691.tif 000002
【実用新案登録請求の範囲】
【請求項１】
踏台を持つ横方向より見て、短い右部材と、伸縮可能で長さを調節し固定できる踏台を持つ左部材があり、段差のある場所で、左部材を伸ばし、全体且つ天板を水平に保って作業できる脚立。
【考案の詳細な説明】
【技術分野】
【０００１】  本考案は、脚立に関する。
【背景技術】
【０００２】  一戸建ての住宅などで、階段の中間に窓が付いていたりすると、高所の作業をするのに脚立や踏み台が必要になるが、階段等段差のある場合に使える脚立や踏み台はない。
本考案は、階段など、段差のある所で、高所作業の時の脚立が安全に使用出来るよう考案されたものである。
【特許文献１】  これに関する先行特許はない。
【非特許文献１】  各社のパンフレット等あるが、これに関するものは、今まで全くなかった。
【考案の開示】
【考案が解決しようとする課題】
【０００３】  本考案は、段差のある所でも、安定して設置できる脚立を提供するものである。
【課題を解決するための手段】
【０００４】  本考案は、踏み台を持つ、横方向より見て、短い右部材と、伸縮可能で長さを調節し固定できる踏み台を持つ左部材があり、段差のある場所で、左部材を伸ばし、全体且つ天板を水平に保って作業できる脚立に関する。
【考案の効果】
【０００５】  階段の中間の窓等、足場が階段状をしている段差のある時、多大な効果を発する、有用な考案である。
【考案を実施するための最良の形態】
【０００６】  脚立は、横方向より見て、一方で踏み台１と踏み台２を持つ、短い右部材３と、それに対向して、踏台４、踏台５を持つ、伸縮する左部材６がある。
左部材６は、下部で、左部材６の上端部分７にスライドして挿入できる下部左部材８があり、下部左部材は、スライドして伸縮する。即ち、さやになったスライド部９を形成する。
脚立の上部は天板１０があり、左部材６と、右部材３の開き過ぎを止めるストッパー１１を設ける。
スライド部には、スライド部８に挿入し、スライド部４中の伸縮を適当な長さにして固定するストッパー１２，１３が内側に設けられ、これにより、足場の段差により、それに一番合った長さにスライド部８を設定でき、天板１０が水平になるようにして、固定できる。  ４本の脚の先端には、滑り止め１４が設けられる。
使用者は、脚立を開き、左部材６の下部を左部材８を伸ばし、ストッパー１２，１３で固定し、全体を安定して、固定できる。しまう時は、ストッパー１２，１３をはずし、下部左部材８を縮める。
【産業上の利用可能性】
【０００７】  本考案は、構造がシンプルで、故障等少なく、又、コストも余りかからず、建築会社等に常備していれば非常に便利なので広く用いられると思う。
【図面の簡単な説明】
【０００８】
【図１】本考案の側面図である。
【図２】正面図である。
【図３】背面図である。
【符号の説明】
１，２  踏台
３      右部材
４，５  踏台
６      左部材
７      上部部分
８      下部左部材
９      スライド部
１０    天板
１１    ストッパー
１２，１３  ストッパー
１４    滑り止め
【図１】
0003127691.tif 000003
【図２】
0003127691.tif 000004
【図３】
0003127691.tif 000005
(57)【要約】【課題】  本考案は不織布に方眼を印刷することにより仮縫いの際に縫うことを可能とし、保存をしやすくし、人体や人台に着せることを容易とし、立体裁断の際にトワルを用いることに比べて経済的負担を小さくし。人体や人台着せる時に方眼の線をあわせることによってウエスト線や背中心の線や前中心の線をあわせることを可能としたものである。【解決手段】  本考案は不織布に方眼を印刷することにより、仮縫いの際に縫うことを可能とし、保存をしやすくし、人体や人台に着せることを容易とし、立体裁断の際にトワルを用いることに比べて経済的負担を小さくし。人体や人台着せる時に方眼の線をあわせることによってウエスト線や背中心の線や前中心の線をあわせることを可能としたものである。【選択図】図１
0003127697.tif 000002
【実用新案登録請求の範囲】
【請求項１】
不織布に方眼目盛りを印刷したことを特徴する製図用紙または仮縫い用布または立体裁断用布
【考案の詳細な説明】
【技術分野】
【０００１】  本考案は不織布に方眼を印刷したことを特徴する製図用紙または仮縫い用布または立体裁断用布に関するものである。
【背景技術】
【０００２】  洋裁等において、製図用紙は紙に方眼を印刷した用紙、立体裁断の際には人体や人台にはトワルを用いていた。
【考案の開示】
【考案が解決しようとする課題】
【０００３】  紙に方眼を印刷した製図用紙は仮縫いの際に縫うことができない。また、破けやすく保存がしにくい。また、破けやすく人体や人台に着せることが困難である。立体裁断の際にトワルを用いることは経済的負担が大きい。
【課題を解決するための手段】
【０００４】  本考案は不織布に方眼を印刷することによりこれらの問題点をすべて解決している。
【考案の効果】
【０００５】  本考案の方眼不織布は布であるので仮縫いの際に縫うことができる。また、破けにくく保存がしやすい。また、破けにくく人体や人台に着せることが容易であり。また立体裁断の際に方眼不織布を用いることはトワルを用いることに比べて経済的負担が小さい。人体や人台着せる時に方眼の線をあわせることによってウエスト線や背中心の線や前中心の線をあわせることができる。
【考案を実施する最良の形態】
【０００６】  不織布に方眼を印刷する。
【実施例】
【０００７】  以下、添付図面に沿って実施例を説明する。１は植物性の１００ｃｍ×２０００ｃｍの不織布で、これに２の５ｃｍ×５ｃｍの方眼を青インクで印刷した。
【図面の簡単な説明】
【０００８】
【図１】  不織布に方眼を印刷した具体例の平面図
【符号の説明】
【０００９】  １  植物性の１００ｃｍ×２０００ｃｍの不織布
２  ５ｃｍ×５ｃｍの方眼
【図１】
0003127697.tif 000003
【手続補正書】
【提出日】平成18年9月6日(2006.9.6)
【手続補正１】
【補正対象書類名】実用新案登録請求の範囲
【補正対象項目名】全文
【補正方法】変更
【補正の内容】
【実用新案登録請求の範囲】
【請求項１】
植物性の１００ｃｍ×２０００ｃｍの不織布に５ｃｍ×５ｃｍの方眼目盛りを印刷したことを特徴する製図用紙または仮縫い用布または立体裁断用布
(57)【要約】【課題】加熱・暖房機器等の燃料とする固形燃料材ではその着火のために別途、微細な木質様材又は引火性能の高い物質を着火補助材として使用し着火している。このため燃料主材である固形燃料材が中心的に燃焼を開始するまでには余分な材料と時間を必要としている。この様な使い勝手が悪い燃料材を使い易くすることが課題である。【解決手段】固形燃料材の片端部に多数の切れ目を設け、微細な細長構造が集積した形状とすることで着火性能を高め、固形燃料材本体に直接着火できるものとなり、固形燃料材の使い勝手の悪さを解決する。【選択図】図１
0003127693.tif 000002
【実用新案登録請求の範囲】
【請求項１】
固形燃料材の片端部に多数の切れ目を設け、微細な細長構造が集積した形状にすることで、その着火性能を高めた固形燃料材。
【請求項２】
上記の固形燃料材の原料に木質系の乾燥材を使用し、着火性能を高めた固形燃料材。
【考案の詳細な説明】
【技術分野】
【０００１】  本考案は加熱・暖房機器等の燃料材として使用する固形燃料材の形状に関する。
【背景技術】
【０００２】  従来の固形燃料材は形状の大小に関わらずその着火性能を飛躍的に高める構造を持つ形状のものがなかった。（図２）
【考案の開示】
【考案が解決しようとする課題】
【０００３】従来の固形燃料材ではその着火のために別途、微細な木質様材又は引火性能の高い物質を着火補助材として使用し着火している。このため燃料主材である固形燃料材が中心的に燃焼を開始するまでには余分な材料と時間を必要としている。
【課題を解決するための手段】
【０００４】そこで固形燃料材の一部分に多数の切れ目を設け、微細な細長構造が集積した形状とした。このため燃料主材本体に短時間で着火できるものである。
【考案の効果】
【０００５】  よって本考案の固形燃料材は他の着火専用材を使用することなく、又マッチ・ライター等の小形着火器で直接に燃料主材である固形燃料材に着火できるので、容易に、短時間に加熱機器本体の稼動を開始させることができる。
【考案を実施するための最良の形態】
【０００６】  本考案に係る固形燃料材Ａは、図１に示すように、本体の一部分に多数の切れ目を有している。この切れ目は固形材の縦方向に沿い、二方向以上から多数有することが望ましい。
【図面の簡単な説明】
【０００７】
【図１】  本考案に係る木質様固形燃料材の斜視図である。
【図２】  従来の木質様固形燃料材の斜視図である。
【符号の説明】
【０００８】  １      微細な細長構造部
２      切れ目
Ａ      本考案木質様固形燃料材
Ｂ      従来の木質様固形燃料材
【図１】
0003127693.tif 000003
【図２】
0003127693.tif 000004
【手続補正書】
【提出日】平成18年9月19日(2006.9.19)
【手続補正１】
【補正対象書類名】実用新案登録請求の範囲
【補正対象項目名】全文
【補正方法】変更
【補正の内容】
【実用新案登録請求の範囲】
【請求項１】
固形燃料材の片端部に多数の切れ目を設け、微細な細長構造が集積した形状にすることで、その着火性能を高めた固形燃料材。
【請求項２】
固形燃料材の片端部に多数の切れ目を設け、微細な細長構造が集積した形状にすることで、その着火性能を高めた固形燃料材の原料に木質系の乾燥材を使用し、着火性能を高めた固形燃料材。
(57)【要約】【課題】  立体写真入りプリントに用いる少々嵩高いレンズビューアーが手元に無き場合は、立体視は見辛く不便であり、しかも如何なる場合でもビューアーが直ぐ対応出来る様に常時準備を整える事は、わずらわしい問題である。【解決手段】  それ故に、立体写真（２、２）入りをしたハガキやカード、ブロマイド及びパンフレットなどの表裏いずれかの余白部分（３）には、刀剣を入れる鞘の様に一枚の短冊型ビューアー（１）を収納するポケット（４）を付帯させるものである。【選択図】図５
0003127695.tif 000002
【実用新案登録請求の範囲】
【請求項１】
立体写真入りプリントのハガキやカード、ブロマイド及びパンフレットなどの表裏いずれかの余白部分には、レンズ無用の短冊型立体視ビューアーの収納を特徴としたポケットを付帯する。
【考案の詳細な説明】
【技術分野】
【０００１】  本考案は、立体写真の鑑賞が手軽にできるハガキやカード、ブロマイド及びパンフレットなどに関するものである。
【背景技術】
【０００２】  左右一対の立体写真を立体鑑賞する場合には、レンズ無用とレンズ有用の方法が存在している。レンズ無用の場合は、各自が視野の遮りを調整して鑑賞するという若干の鑑賞技術を要する。そして一般的には、少々嵩張るがレンズ有用のビューアーによる簡易性立体鑑賞が行われている。
【考案の開示】
【考案が解決しようとする課題】
【０００３】  しかし、レンズビューアーが手元に無き場合は、立体鑑賞は一般的に見づらい。かといって、レンズビューアーにより即座に鑑賞対応できるように常時、万全な準備態勢を保つのは、わずらわしく面倒な点が解決しようとする課題となる。
【課題を解決するための手段】
【０００４】  そのために本考案は、立体写真入りプリントをしたハガキやカード、ブロマイド及びパンフレットなどの表裏いずれかの余白部分には、刀剣を入れる鞘のように、レンズ無用短冊型の立体視ビューアーを収納するポケットを付帯する。
【考案の効果】
【０００５】  本考案の立体写真入りハガキやカード、ブロマイド及びパンフレットは各自、裸眼による短冊型ビューアーの簡易操作により立体感が味わえて一層の訴求性と利便性を向上させ、立体写真入りプリントの有効性が一段と高まる。
【考案を実施するための最良の形態】
【０００６】  本考案を図によって説明すると、図１の（１）は一枚の短冊型ビューアーである。（寸法は幅５０ミリ、長さ１００ミリ、厚み０．５ミリ程度）
図２のようにハガキの場合は、左右一対の立体写真（２、２）と同じ側の余白部分（３）には、図３のように一枚の短冊型ビューアー（１）を密閉状態に封じ込んだ袋状の収納用ポケット（４）を付帯する。但し、このポケット（４）の端部分（５）には、後で鋏で切り取るためのカット線（６）を表示する。
図４のように、ハガキに限り初回の立体視の時は、カット線（６）をカットして、ポケット（４）の内部からビューアー（１）を取り出して立体視する。
また図５のように、ラミネート仕上げ又は透明袋（７）入りをした立体写真入りカードやブロマイド及びパンフレットなどの裏側袋面（８）には、ビューアー（１）の収納用ポケット（４）を付帯する実施形態も可能である。
【図面の簡単な説明】
【０００７】
【図１】  一枚の短冊型ビューアー正面図。
【図２】  ハガキの立体写真と余白部分。
【図３】  その余白部分には、ビューアーの収納用ポケットを付帯する。
【図４】  収納用ポケットの端部分をカットしてビューアーを取り出す。
【図５】  透明袋に入った立体写真入りプリントの裏側袋面には、ビューアーの収納用ポケットを付帯した一例。
【符号の説明】
【０００８】  １      短冊型ビューアー。
２      左右一組の立体写真。
３      ハガキの余白部分。
４      ビューアーの収納用ポケット。
５      ポケットの端部分。
６      鋏で切るカット線。
７      透明袋。
８      立体写真入りプリントの裏側袋面。
【図１】
0003127695.tif 000003
【図２】
0003127695.tif 000004
【図３】
0003127695.tif 000005
【図４】
0003127695.tif 000006
【図５】
0003127695.tif 000007
【手続補正書】
【提出日】平成18年9月19日(2006.9.19)
【手続補正１】
【補正対象書類名】実用新案登録請求の範囲
【補正対象項目名】全文
【補正方法】変更
【補正の内容】
【実用新案登録請求の範囲】
【請求項１】
立体写真入りプリント本体の表裏いずれかの余白部分には、レンズ無用の短冊型立体視ビューアー収納用ポケットを付帯することを特徴とした立体写真入りプリント。
(57)【要約】      （修正有）【課題】レンズとフレームを同一の合成樹脂素材で一体成形した２枚のレンズを鼻先だけで保持することによって眼鏡の目的を達成し、眼鏡を使用していない人も近眼鏡やコンタクトレンズを使用している人も、常に眼鏡を掛けたまま装着できる簡易ファッション老眼鼻眼鏡を提供する。【解決手段】鼻先に挟んで保持できる程度の弾性を有するブリッジ（３）の両端部にレンズ（１）（１ａ）を設け、該ブリッジ（３）はレンズ（１）（１ａ）を挟んだ時に鼻に触れない高さに且つ視線を水平にしたときに、視線の妨げにならないようにし、レンズ（１）（１ａ）の内測面部に鼻当て（２）（２ａ）を設け、この部分で鼻翼の少し上、外側鼻軟骨付近を狭持できるように眼鏡を成型する。【選択図】図３
0003127692.tif 000002
【実用新案登録請求の範囲】
【請求項１】
鼻先だけで眼鏡全体を充分保持できるだけの弾力性を持つブリッジ（３）の両端部に対応するレンズ（１）（１ａ）を設け、ブリッジ（３）はレンズ（１）（１ａ）を挟んだ時、視線の妨げにならないようにレンズの内側部に鼻当て（２）（２ａ）を設けたレンズとフレームを同一の合成樹脂素材で一体成形したファッション老眼鼻眼鏡。
【考案の詳細な説明】
【技術分野】
【０００１】この実用新案は、レンズとフレームを同一の合成樹脂素材で一体成形した２枚のレンズを鼻先だけで保持することによって眼鏡の目的を達成し、眼鏡を使用していない人も近眼鏡やコンタクトレンズを使用している人も、常に眼鏡を掛けたまま装着できる簡易ファッション老眼鼻眼鏡を提供する。
【背景技術】
【０００２】眼の老化と共に近くの物体を見た時に、網膜上にピントを合わせることができなくなる老眼に対し、日常眼鏡を掛けない人や近視用眼鏡やコンタクトレンズを使用している人も、近見に焦点を合わせる場合に老眼鏡を必要とするが、眼鏡枠に耳に掛ける為のつるがある眼鏡を使用している。日常近視眼鏡を掛けている人は、眼鏡を掛け替えなければならない。
【考案の開示】
【考案が解決しようとする課題】
【０００３】日常眼鏡を掛けている人が、老眼鏡を使用する場合掛け替えなければならない煩わしさを解決するため、常に眼鏡を掛けたまま装着できる簡易老眼鼻眼鏡を提供することを目的とする。
【課題を解決するための手段】
【０００４】上記目的を達成するため本考案は、鼻先に挟んで保持できる程度の弾性を有するブリッジ（３）の両端部にレンズ（１）（１ａ）を設け、該ブリッジ（３）はレンズ（１）（１ａ）を挟んだ時に鼻に触れない高さに且つ視線を水平にしたときに、視線の妨げにならないようにし、レンズ（１）（１ａ）の内測面部に鼻当て（２）（２ａ）を設け、この部分で鼻翼の少し上、外側鼻軟骨付近を狭持できるように眼鏡を成型する。
【考案の効果】
【０００５】上記のように構成された本考案には、次のような効果がある。
ａ．本考案は日常眼鏡を掛けない人や近視用眼鏡やコンタクトレンズを使用している人も、常に眼鏡を掛けたまま装着できる。
ｂ．本考案は合成樹脂素材を使用しているため、着色が容易に成型でき、実用品としてだけでなく、ファッション用としても使用用途により、ブリッジやレンズに色やデザインを施すことが可能となる。
ｃ．本考案は合成樹脂素材を使用しているため、現在使用中の眼鏡と接触しても双方に傷が付く可能性が少ない。
ｄ．本考案は合成樹脂素材を使用しているため、老眼鏡本体の総重量が軽く欧米人並みの鼻の高さがない人も、容易に装着でき落ちづらく鼻への圧迫感も軽減できる。
ｅ．本考案は合成樹脂素材を使用しブリッジもレンズも一体成型するため、低いコストで製作することが可能となり、安価な価格設定が可能である。
ｆ．本考案は眼鏡枠に耳に掛ける為のつるがないため、シャツの胸ポケットや、背広の胸ポケットなどに容易に納めることができ場所をとらない。
ｇ．本考案は２枚のレンズで小鼻を両サイドから挟み、つるが無くても老眼鏡の役目を果たすことが可能である。
ｈ．本考案は合成樹脂素材を使用しているため、レンズの形状に関しては、丸形、楕円形、長方形など自由に成型することができる。
ｉ．本考案は３段階の度数を設定し、＋１．０、＋１．５，＋２．０と順番に弱、中、強と老眼度に応じて選ぶことができる。
【考案を実施するための最良の形態】
【０００６】以下、本考案の実施の形態を図面に基づいて説明する。【０００７】図１は本考案の正面図、図２は本考案の底面図、図３は本考案の使用状態を示す正面図、図４は本考案の使用状態を示す側面図、図５は本考案の他の眼鏡と併用した状態を示す側面図【０００８】両眼に対応する２枚の透明な合成樹脂素材のレンズ（１）（１ａ）の内側面にそれぞれ対応に鼻当て（２）（２ａ）をレンズと一体成型で設ける。この２枚のレンズに図１に示したブリッジ（３）をレンズと同一の合成樹脂素材で一体成型する。ブリッジは２枚のレンズを鼻に挟んだ時鼻に当たらない高さを保ち、且つ視線を水平に上げた時妨げにならない範囲で成型される。【０００９】本考案は以上のような構造でこれを使用する時は、図３のように自分の鼻翼の少し上、外側鼻軟骨を挟むように差し込むだけで使用でき、その位置は図５のように眼鏡を使用中の人でもレンズどうしが接触することがなく併用することができる。
【図面の簡単な説明】
【００１０】
【図１】本考案の正面図
【図２】本考案の底面図
【図３】本考案の使用状態を示す正面図
【図４】本考案の使用状態を示す側面図
【図５】本考案の他の眼鏡と併用した状態を示す側面図
【符号の説明】
１    レンズ
１ａ  レンズ
２    鼻当て
２ａ  鼻当て
３    ブリッジ
【図１】
0003127692.tif 000003
【図２】
0003127692.tif 000004
【図３】
0003127692.tif 000005
【図４】
0003127692.tif 000006
【図５】
0003127692.tif 000007
(57)【要約】【課題】  融雪水及び雨水を貯水槽に溜め、ボイラーと温水散水パイプを使用する高能率で経済的な屋根の循環式雪氷融解装置を提供する。【解決手段】  貯水槽に融雪水及び雨水を溜め、揚水ポンプ、ボイラーを使用して屋根上に導き、降雪センサーの作動によって散水をして融雪を行い、融雪水は再び貯水槽に戻る循環式であって、降雪センサーの作動によって水抜きを行うこと、散水パイプに空気吸入弁を設けることを特徴とする。【選択図】    図１
0003127688.tif 000002
【実用新案登録請求の範囲】
【請求項１】
貯水槽（１）に揚水ポンプＰ１を設けてボイラーＢに送り、ボイラーＢで加熱した温水をポンプＰ２を介して屋根Ａ上に送ること、屋根Ａ上に散水パイプ（２）を設け、該温水を散水し、融雪水を雨樋（６）、立樋（７）を通して貯水槽（１）に循環させることを特徴とした屋根循環式雪氷融解装置。
【請求項２】
屋根Ａ上に降雪センサー（８）を設け、該降雪センサー（８）の感知によって、ボイラーＢ及び揚水ポンプＰ１，Ｐ２を作動させ屋根Ａ上の散水を促すことを特徴とした請求項１に記載の屋根循環式雪氷融解装置。
【請求項３】
散水パイプ（２）の管端に空気吸入弁（３）を設けることを特徴とした請求項１に記載の屋根循環式雪氷融解装置。
【請求項４】
自動排水弁（５）を設けることによって、運転停止時に散水パイプ（２）内の水をドレン管（１０）を介して貯水槽（１）に排出することを特徴とした請求項１に記載の屋根循環式雪氷融解装置。
【請求項５】
屋根Ａ上から流出する融雪水又は雨水は貯水槽（１）で受け、貯水槽には溢流パイプ（１１）を設け、沈澱桝（１２）を介して側溝（１３）に排出することを特徴とした請求項１に記載の屋根循環式雪氷融解装置。
【考案の詳細な説明】
【技術分野】
【０００１】
本考案は、貯水槽を設け、雨水及び融雪水を利用する循環式の屋根雪氷融解装置に関する。
【背景技術】
【０００２】
雪国での屋根の消雪・融雪に関しては数多くの開発がなされているがその年々の降雪量や気温の条件、さらには装置的に大掛りとなるため経済的な負担が大きく未だ決定的な考案がなされていない。
【特許文献１】特開２０００−２５７３０４号公報
【特許文献２】特開２００５−８３１８０号公報
【考案の開示】
【考案が解決しようとする課題】
【０００３】
上記公知文献に示すように屋根の融雪装置に関しては、数多くの発明、考案が開発されているが、それぞれ長短があって決め手となる消雪・融雪手段がなく、これは前記するように、その年々の降雪量や気象の状況の違いによるものである。
【課題を解決するための手段】
【０００４】
考案者は、地域的な条件や気候の状況に関係なく、雪国全地方に適用する屋根の消雪・融雪装置を提供するものであって雨水や屋根からの融雪水を同時に利用すること、循環式であって、ボイラーを使用することによって能率よく屋根の消雪が行える。また降雪センサーを用いることによって降雪を素早く感知するため、ボイラーＢの作動が早く温水を供
給することが可能であり、また降雪が止めば、ボイラーＢは停止し、これと共に自動水抜弁（５）が開弁して屋根Ａ上の散水パイプ（２）及び温水パイプ（４）内の水抜きを図り各パイプ内の凍結を防ぐ。
【０００５】
そして本考案の融雪装置は、雨水および融雪水の循環装置のため、これらの水は屋根Ａ上から樋（６），（７）を通して貯水槽（１）に貯水されるため夏期にあっても貯水槽（１）の水は庭の水まきや清掃等に利用可能であり、さらに貯水槽（１）が満杯になれば溢水は沈澱桝（１２）を通して側溝（１３）に排水される。
【考案の効果】
【０００６】
上述のように本考案の屋根循環式の雪氷融解装置は降雪センサー、ボイラー、自動排水弁、貯水槽等により効果的に屋根の融雪が可能で循環式のため画期的な融雪効果が期待できる。
【考案を実施するための最良の形態】
【０００７】
添付図面により本考案を実施するための最良の形態を説明すると、図１は（イ）図（ロ）図と以下２段に分割して示しているが、これは作図上の理由であって、（イ）図は本考案の循環式雪氷融解装置の屋根部分の図示であり、（ロ）図は同装置の屋根Ａから下の地上の部分の図示である。従って（イ）図と（ロ）図は実際には図中の符号（４）の温水パイプ及び符合（７）の立樋の部分に示されている一点破線で示しているように接続して融雪装置として完成されている。
【実施例】
【０００８】
図１は（イ）図および（ロ）図と上下に別記してあるが、作図上の関係であって、例えば温水パイプ（４）と立樋（７）で接続して装置を形成している。
【０００９】
図について本考案を説明すると、貯水槽（１）に設けた揚水ポンプＰ１によってボイラーＢに送水されて加温され温水パイプ（４）に設けた送水ポンプＰ２により屋根Ａ上に送られて散水パイプ（２）によって散水されて雪が融雪される。
【００１０】
この散水パイプ（２）の特徴はパイプ（２）の先端に空気吸入弁（３）を設ける点にある。この空気吸入弁（３）を設けることによってパイプ内に送られて来た温水は、パイプ（２）に設けた散水孔（図示していない）から空気の抵抗なくスムーズに散水放出することができる。
そして、この散水孔は単なる注水用の孔でもよいが、屋根の構造によっては散水噴出口を取付けることも可能である。
【００１１】
この散水によって融雪水は雨樋（６）、立樋（７）を経て再び貯水槽（１）に戻り循環方式を採用している。この作動は屋根Ａ上の降雪センサー（８）の感知によって行われる。また感知センサー（８）の降雪が止むと配電盤からの指令により自動排水弁（５）が作動して温水パイプ（４）内の残水が抜かれてパイプ内の氷結を防ぐことができる。
【００１２】
融雪水の外屋根Ａ上に降った雨水も同様に樋・立樋を経て貯水槽（１）に流入するため貯水槽（１）には溢水パイプ（１）を設け、沈澱桝（１２）を通過して側溝（１２）に排出される構造となっている。
【００１３】
このように本考案の屋根循環式雪氷融解装置は、両樋（６）を温水が通るため軒先に発生するツララを融解するため軒端の破損も防止できるという相乗的効果もある。
さらに、本考案は降雪センサー（８）を使用して全自動の融雪装置としているが、降雪量の少ないときは手動に切換て稼動させることもできる。
【産業上の利用可能性】
【００１４】
前記のように本考案の屋根融雪装置は循環式であり、雨水と融雪水を利用でき、しかも降雪センターを用いることによって、ボイラーを使用することで効果的に融雪氷の効果が大きく、全国の雪国で利用される期待は大きい。
【図面の簡単な説明】
【００１５】
【図１】本考案の屋根循環式雪氷融解装置の全体を示す構造図
【符号の説明】
【００１６】
１  貯水槽
２  散水パイプ
３  空気吸入弁
４  温水パイプ
５  自動排水弁
６  樋
７  立樋
８  降雪センサー
１０  ドレン管
１１  溢水パイプ
１２  沈澱桝
１３  側溝
Ａ  屋根
Ｂ  ボイラー
Ｐ１  揚水ポンプ
Ｐ２  温水ポンプ
【図１】
0003127688.tif 000003